(57)【要約】      （修正有）【課題】測定者が自らで正確に身長測定を行うことができ、構成が簡単で、耐久性、取り扱い、保管が容易な伸長測定器を提供する。【解決手段】メジャー先端を下方向にしてメジャー１２を繰り出せる巻尺部１０と、メジャー１２先端に設けた足踏み保持部２０と、被測定者の頭頂部に当接させる頭頂押さえ部３０と、メジャー１２を繰り出して頭頂押さえ部３０を被測定者の頭頂部に当接させた状態でメジャー１２の目盛りを測定する測定定規部４０と、メジャー１２を鉛直方向で、かつ測定定規部４０の水平状態を指示する水平器５０と、を備え、頭頂押さえ部３０を被測定者の頭頂部に当接させると共に、巻尺部１１のメジャー１２を繰り出し、足踏み保持部２０を被測定者の足で保持した際の水平器５０が水平を示す状態で、メジャー１２の目盛りを測定定規部４０により測定する.【選択図】図１
2015136483.tif 000002
【特許請求の範囲】
【請求項１】
メジャー先端を下方向にしてメジャーを繰り出せる巻尺部と、
前記メジャー先端に設けた足踏み保持部と、
被測定者の頭頂部に当接させる頭頂押さえ部と、
前記メジャーを繰り出して前記頭頂押さえ部を被測定者の頭頂部に当接させた状態で前記メジャーの目盛りを測定する測定定規部と、
前記メジャーを鉛直方向で、かつ前記測定定規部の水平状態を指示する水平器と、を備え、
前記頭頂押さえ部を被測定者の頭頂部に当接させると共に、前記巻尺部のメジャーを繰り出し、
前記足踏み保持部を前記被測定者の足で保持した際の前記水平器が水平を示す状態で、  前記メジャーの目盛りを前記測定定規部により測定することを特徴とする身長測定器。
【請求項２】
前記頭頂押さえ部は、前記測定定規部に取り付けられ、
前記測定定規部から水平方向にスライド可能であることを特徴とする請求項１に記載の身長測定器。
【請求項３】
前記水平器は、前記測定定規部に取り付けられ、
前記水平器が、前記メジャーを鉛直方向で、かつ前記測定定規部の水平を指示する状態で、
前記測定定規部が、前記巻尺部から繰り出した前記メジャーの目盛りを測定することを特徴とする請求項１に記載の身長測定器。
【発明の詳細な説明】
【技術分野】
【０００１】
この発明は、持ち運びが容易で、かつ家庭等において簡易に被測定者の身長を正確に測定することができる身長測定器に関する。
【背景技術】
【０００２】
従来、身長測定器は、踏台上に、目盛りが刻まれた支柱が立設され、この支柱には、上下方向に溝が形成され、この溝に頭頂押さえ板が上下方向にスライドする構成とされている。そして、この身長測定器で、被測定者の身長を測定するには、被測定者が踏台に乗って、頭頂押さえ板をスライドさせ、頭頂に当接させた際の、この頭頂押さえ板の停止位置の目盛りを測定することで行っている。
【０００３】
しかし、このような身長測定器の場合、その構成が大きいので、その保管、収納スペースの確保が難しく、家庭等での使用、利用には適しないばかりか、被測定者自身で身長測定を行うことが難しいという課題がある。
【０００４】
そこで、近年では、例えば、鍔付き帽子を用い、鍔下面に超音波センサーを設け、超音波センサーによって、鍔と被測定者の足元との距離を測定し、この測定値に、鍔と帽子頂部との距離を加算することで、被測定者の身長測定ができるようにした構成のものが提案されている（特許文献１、特許文献２）。また、光学方式を利用して身長を測定する装置が提案され（特許文献３）、レンズが被測定者の頭頂の所在高度を越すときに、感光センサーの出力がホッピングすることに基づき、この時のレンズの所在高度から被測定者の身長を確定するようになっている。
【先行技術文献】
【特許文献】
【０００５】
【特許文献１】実公平３−４２８９４号公報
【特許文献２】実開昭６２−１６６８１０号公報
【特許文献３】特表２０１０−５１６３５４号公報
【発明の概要】
【発明が解決しようとする課題】
【０００６】
しかし、超音波を利用する身長測定器の場合、超音波センサーと、演算器、および目盛り表示体を帽子自体に取り付ける構成となるため、帽子自体の構成が複雑化する。また、電子機器を用いるため、その耐久性に限度があり、取り扱いを、ある程度、慎重に行う必要がある等の問題がある。また、光学方式を利用する身長測定器の場合、レンズの設置、駆動など構造が複雑で、コストが嵩む等の問題がある。
【０００７】
この発明は、かかる実情に鑑みてなされたもので、その目的とするところは、被測定者が自らで正確に身長測定を行うことができ、構成が簡単で、耐久性、取り扱い、保管が容易な身長測定器を提供することにある。
【課題を解決するための手段】
【０００８】
かかる課題を解決するために、この発明は、以下のように構成した。
【０００９】
請求項１に記載の発明は、メジャー先端を下方向にしてメジャーを繰り出せる巻尺部と、
前記メジャー先端に設けた足踏み保持部と、
被測定者の頭頂部に当接させる頭頂押さえ部と、
前記メジャーを繰り出して前記頭頂押さえ部を被測定者の頭頂部に当接させた状態で前記メジャーの目盛りを測定する測定定規部と、
前記メジャーを鉛直方向で、かつ前記測定定規部の水平状態を指示する水平器と、を備え、
前記頭頂押さえ部を被測定者の頭頂部に当接させると共に、前記巻尺部のメジャーを繰り出し、
前記足踏み保持部を前記被測定者の足で保持した際の前記水平器が水平を示す状態で、前記メジャーの目盛りを前記測定定規部により測定することを特徴とする身長測定器である。
【００１０】
請求項２に記載の発明は、前記頭頂押さえ部は、前記測定定規部に取り付けられ、
前記測定定規部から水平方向にスライド可能であることを特徴とする請求項１に記載の身長測定器である。
【００１１】
請求項３に記載の発明は、前記水平器は、前記測定定規部に取り付けられ、
前記水平器が、前記メジャーを鉛直方向で、かつ前記測定定規部の水平を指示する状態で、
前記測定定規部が、前記巻尺部から繰り出した前記メジャーの目盛りを測定することを特徴とする請求項１に記載の身長測定器である。
【発明の効果】
【００１２】
前記構成により、この発明は、以下のような効果を有する。
【００１３】
請求項１に記載の発明では、頭頂押さえ部を被測定者の頭頂部に当接させると共に、巻尺部のメジャーを繰り出し、足踏み保持部を被測定者の足で保持した際の水平器が水平を示す状態で、メジャーの目盛りを測定定規部により測定することで、被測定者が自らで正確に身長測定を行うことができ、構成が簡単で、耐久性、取り扱い、保管が容易である。
請求項２に記載の発明では、頭頂押さえ部は、測定定規部に取り付けられ、測定定規部から水平方向にスライド可能であることで、被測定者が自ら頭頂押さえ部をスライドさせて正確に身長測定を行うことができる。
【００１４】
請求項３に記載の発明では、水平器は、測定定規部に取り付けられ、水平器が、メジャーを鉛直方向で、かつ測定定規部の水平を指示する状態で、測定定規部が、巻尺部から繰り出したメジャーの目盛りを測定することで、メジャーの目盛りを正確に測定することができ、また巻尺部と測定定規部とが分離されることがなく、取り扱い、保管が容易である。
【図面の簡単な説明】
【００１５】
【図１】身長測定器のメジャーを下方向にして繰り出した状態の側面図である。
【図２】身長測定器のメジャーを下方向にして繰り出した状態の正面図である。
【図３】身長測定器のメジャーを収納した状態の側面図である。
【図４】身長測定器の水平器部分の拡大図である。
【図５】身長測定器の使用時の側面図である。
【図６】身長測定器の使用時の正面図である。
【発明を実施するための形態】
【００１６】
以下、この発明の身長測定器の実施の形態について説明する。この発明の実施の形態は、発明の最も好ましい形態を示すものであり、この発明はこれに限定されない。
【００１７】
（身長測定器の構成）
この実施の形態の身長測定器を、図１乃至図４に基づいて説明する。図１は身長測定器のメジャーを下方向にして繰り出した状態の側面図、図２は身長測定器のメジャーを下方向にして繰り出した状態の正面図、図３は身長測定器のメジャーを収納した状態の側面図、図４は身長測定器の水平器部分の拡大図である。この実施の形態の身長測定器１は、巻尺部１０と、足踏み保持部２０と、頭頂押さえ部３０と、測定定規部４０と、水平器５０とを備えている。
【００１８】
巻尺部１０は、巻尺ケース１１と、メジャー１２を有し、巻尺ケース１１の内部にメジャー１２が巻かれて収納されており、メジャー１２がメジャー先端を下方向にして繰り出せ、繰り出しを開放するとスプリング力により自動的に巻尺ケース１１の内部に収納される。メジャー１２にはメジャー先端側から目盛り１３が付されている。メジャー１２は、スチールで形成されるが、樹脂、布などで形成してもよく、メジャー幅は１ｃｍ〜４cmが好ましいが特に限定されない。
【００１９】
足踏み保持部２０は、メジャー１２のメジャー先端に設けられており、足踏み保持部２０は被測定者が足で踏むことができるように構成されている。足踏み保持部２０が床などに置かれ、被測定者が足で踏んだ状態で、床などに接触する面がメジャー１２に付された目盛り１３の０点である。
【００２０】
頭頂押さえ部３０は、被測定者の頭頂部に当接させるように構成され、この頭頂押さえ部３０は、測定定規部４０に取り付けられ、測定定規部４０から水平方向にスライド可能である。
【００２１】
測定定規部４０は、メジャー１２を繰り出して頭頂押さえ部３０を被測定者の頭頂部に当接させた状態でメジャー１２の目盛り１３を測定するように構成される。この実施の形態では、測定定規部４０を、巻尺部１０の巻尺ケース１１に固定している。
水平器５０は、測定定規部４０に設けられ、水平器５０が、メジャー１２を鉛直方向で、かつ測定定規部４０の水平を指示する。この水平器５０は、収納された水玉が基準点に位置することでメジャー１２が鉛直方向で、かつ測定定規部４０が水平であることを示す。
【００２２】
（身長測定器の使用）
次に、この実施の形態の身長測定器１の使用方法及び作用について説明する。図５は身長測定器の使用時の側面図、図６は身長測定器の使用時の正面図である。
【００２３】
身長測定を行おうとする被測定者が、身長測定器１を手で持って、この身長測定器１に設けられている頭頂押さえ部３０を、測定定規部４０から水平方向にスライドさせて、被測定者の頭頂部に当接させると共に、巻尺部１０のメジャー１２を繰り出し、足踏み保持部２０を被測定者の足で保持する。被測定者が自ら頭頂押さえ部３０をスライドさせることで、頭頂押さえ部３０を被測定者の頭頂部に正確に当接させて身長測定を行うことができる。
【００２４】
また、巻尺部１０のメジャー１２を繰り出し、足踏み保持部２０を被測定者の足で保持した状態で、水平器５０が、メジャー１２を鉛直方向で、かつ測定定規部４０の水平を指示する状態にする。この状態で、被測定者が自ら測定定規部４０が、巻尺部１０から繰り出したメジャー１２の目盛り１３を測定することで、メジャー１２の目盛り１３を正確に測定することができる。
【００２５】
このように、頭頂押さえ部３０を被測定者の頭頂部に当接させると共に、巻尺部１０のメジャー１２を繰り出し、足踏み保持部２０を被測定者の足で保持した際の水平器５０が水平を示す状態で、メジャー１２の目盛り１３を測定定規部４０により測定することで、被測定者が自らで正確に身長測定を行うことができ、構成が簡単である。
【００２６】
この身長測定が終了すると、被測定者の足で足踏み保持部２０を保持することを止め、繰り出しを開放すると、メジャー１２はスプリング力により自動的に巻尺ケース１１の内部に収納され、耐久性、取り扱い、保管が容易である。また、巻尺部１０と測定定規部４０とが分離されることがないため、取り扱い、保管が容易である。
【産業上の利用可能性】
【００２７】
この発明は、持ち運びが容易で、かつ家庭等において簡易に被測定者の身長を正確に測定することができる身長測定器に適用でき、測定者が自らで正確に身長測定を行うことができ、構成が簡単で、耐久性、取り扱い、保管が容易である。
【符号の説明】
【００２８】
１  身長測定器
１０  巻尺部
１１  巻尺ケース
１２  メジャー
１３  目盛り
２０  足踏み保持部
３０  頭頂押さえ部
４０  測定定規部
５０  水平器
【図１】
2015136483.tif 000003
【図２】
2015136483.tif 000004
【図３】
2015136483.tif 000005
【図４】
2015136483.tif 000006
【図５】
2015136483.tif 000007
【図６】
2015136483.tif 000008